(57)【要約】【課題】検査用端子を湿気等から確実に保護でき、薄型化を達成でき、しかも機械的強度の強い電気光学装置を提供する。【解決手段】第１透光性基板１３と第２透光性基板１４とを貼り合わせて成り、基板１３が基板１４から張出す張出し部１８を有し、張出し部１８に検査用端子１９を備え、表示領域Ｖ内に画像を表示する液晶パネル３と、液晶パネル３を支持するフレーム２と、液晶パネル３及びフレーム２を収容し表示領域Ｖに対応して開口２５を有する外枠４ａと、開口２５の外側の周囲領域内であって且つ外枠４ａとフレーム２との間に設けられた両面粘着部材２８とを有する液晶表示装置１である。両面粘着部材２８は、一方の面がフレーム２に粘着し、他方の面が外枠４ａに粘着し、さらに検査用端子１９を覆う。【選択図】図１
2008165132.tif 000002
【特許請求の範囲】
【請求項１】
一対の基板を貼り合わせて成り、前記一対のうち一方の基板が他方の基板から張出す張出し部を有し、当該張出し部に検査用端子を備え、表示領域内に画像を表示する電気光学パネルと、
該電気光学パネルを支持する支持枠と、
前記電気光学パネル及び前記支持枠を収容し前記表示領域に対応して開口を有する外枠と、
前記開口の外側の周囲領域内であって且つ前記外枠と前記支持枠との間に設けられた両面粘着部材と、を有し、
前記両面粘着部材は、一方の面が前記支持枠に粘着し、他方の面が前記外枠に粘着し、さらに前記検査用端子を覆う
ことを特徴とする電気光学装置。
【請求項２】
請求項１記載の電気光学装置において、前記両面粘着部材は、前記外枠と前記支持枠とによって、及び前記外枠と前記張出し部の前記検査用端子が形成された領域とによって、挟持されて押圧されることを特徴とする電気光学装置。
【請求項３】
請求項１又は請求項２記載の電気光学装置において、前記両面粘着部材は前記電気光学パネルの周囲領域にも粘着することを特徴とする電気光学装置。
【請求項４】
請求項３記載の電気光学装置において、前記両面粘着部材は前記外枠と前記電気光学パネルとによって挟持されて押圧されることを特徴とする電気光学装置。
【請求項５】
請求項１から請求項４のいずれか１つに記載の電気光学装置において、前記両面粘着部材は、前記開口の外側の周囲領域内に無端の環状に設けられ、且つ一部分が延出して前記検査用端子を覆うことを特徴とする電気光学装置。
【請求項６】
請求項１記載の電気光学装置において、前記両面粘着部材は前記検査用端子を覆った状態で当該検査用端子が形成された前記一方の基板と前記外枠との間を埋めることを特徴とする電気光学装置。
【請求項７】
請求項６記載の電気光学装置において、前記両面粘着部材の自然状態時の厚さは前記他方の基板の厚さと同じかそれよりも厚いことを特徴とする電気光学装置。
【請求項８】
請求項１から請求項７のいずれか１つに記載の電気光学装置において、前記両面粘着部材の前記外枠に粘着する面は強粘着面であり、その反対側の面は弱粘着面であることを特徴とする電気光学装置。
【請求項９】
請求項１から請求項８のいずれか１つに記載の電気光学装置において、前記一方の基板上に実装された駆動用ＩＣをさらに有し、前記検査用端子は、前記駆動用ＩＣの側辺と、前記一方の基板の側辺であって前記駆動用ＩＣの側辺に最も近い側辺との間に設けられることを特徴とする電気光学装置。
【請求項１０】
請求項１から請求項９のいずれか１つに記載の電気光学装置を有することを特徴とする電子機器。
【発明の詳細な説明】
【技術分野】
【０００１】
本発明は、液晶表示装置等といった電気光学装置であって検査用端子を備えた電気光学装置に関する。また、本発明は、その電気光学装置を用いた電子機器に関する。
【背景技術】
【０００２】
現在、携帯電話機、携帯情報端末機等といった各種の電子機器において、液晶表示装置、ＥＬ装置等といった電気光学装置が広く用いられている。例えば、電子機器に関する各種の情報を視覚的に表示するための表示部として電気光学装置が用いられている。この電気光学装置において、従来、検査用端子を内蔵するものが知られている（例えば、特許文献１参照）。
【０００３】
特許文献１には、検査用端子としてのＴＥＧ（テストエレメントグループ）を基板の周辺領域の一部に配置することが開示されている。このＴＥＧは、電気光学装置内の各種配線、電極、電子素子等の電気的状態を模擬的に検査することを製造途中や製造完了時に行う際に用いるとされている。また、ＴＥＧを実装ケースで覆うことで、これを保護できることが記載されている。また、ＴＥＧは、好ましくは、実装ケースにより隠れて保護される、と記載されている。さらには、ＴＥＧはＦＰＣ（Flexible Printed Circuit：可撓性プリント回路）基板で覆うことが無いので、製造完了後、実装完了後、使用後においてもＦＰＣを取り外すことなしにＴＥＧを利用した模擬的な検査ができることが記載されている。
【０００４】
従来、液晶表示装置において検査用端子をＦＰＣ基板で覆って保護するという技術が知られている（例えば、特許文献２参照）。この特許文献２では、検査用端子としてのテスト信号入力線にＦＰＣが異方性導電膜を介して接着される構成が記載されている。
【０００５】
【特許文献１】特開２００４−３４１２１６号公報（第１１頁、図１）
【特許文献２】特開２００６−３０１１３５号公報（第４頁、図１）
【発明の開示】
【発明が解決しようとする課題】
【０００６】
特許文献１には、検査用端子としてのＴＥＧが実装ケースによって隠されて保護されるという技術が開示されているが、これは、単にＴＥＧを実装ケースによって外部から見えないように隠すということであり、ＴＥＧを湿気等といった外部環境から保護するという技術は開示されていない。
【０００７】
特許文献２には、検査用端子としてのテスト信号入力端子をＦＰＣで覆うことにより、当該テスト信号入力端子を絶縁保護することが開示されている。この方法によれば、テスト信号入力端子を湿気から保護したり、衝撃や振動から保護することができると考えられる。
しかしながら、ＦＰＣによって検査用端子を覆うためにはＦＰＣの形状を通常のＦＰＣに比べて大きく変化させなければならい。そして、形状が大きく変化したＦＰＣを基板の所望の位置に実装することは難しい作業を伴うものである。また、ＦＰＣで検査用端子を覆うということは、検査用端子の上にＦＰＣ及び接着材の２層が積層されるということであり、検査用端子上に大きな空間が必要となり、電気光学装置の薄型化を阻害するおそれがある。
【０００８】
上記の従来技術以外の技術として、検査用端子をシリコンモールドで覆うという技術が周知である。この技術は、検査用端子の上にシリコンモールドを塗布することにより、検査用端子が湿気に接触することによって腐食が発生して、製品としての電気光学装置に悪影響がもたらされることを、シリコンモールドによって保護するというものである。しかしながら、この樹脂モールド方法においては、検査用端子の上に厚いモールド樹脂が設けられることになり、それ故、電気光学装置を薄く形成することができない。
【０００９】
本発明は、上記の問題点に鑑みて成されたものであって、検査用端子を湿気等といった外部環境から確実に保護でき、それを実現するための部品の調達が非常に容易であり、それを実現するための作業が非常に簡単であり、電気光学装置の薄型化に大きく貢献でき、しかも電気光学装置の耐衝撃性、耐振動性を高めることができる電気光学装置及び電子機器を提供することを目的とする。
【課題を解決するための手段】
【００１０】
本発明に係る電気光学装置は、（１）一対の基板を貼り合わせて成り、前記一対のうち一方の基板が他方の基板から張出す張出し部を有し、当該張出し部に検査用端子を備え、表示領域内に画像を表示する電気光学パネルと、（２）該電気光学パネルを支持する支持枠と、（３）前記電気光学パネル及び前記支持枠を収容し前記表示領域に対応して開口を有する外枠と、（４）前記開口の外側の周囲領域内であって且つ前記外枠と前記支持枠との間に設けられた両面粘着部材とを有し、（５）前記両面粘着部材は、一方の面が前記支持枠に粘着し、他方の面が前記外枠に粘着し、さらに前記検査用端子を覆うことを特徴とする。
【００１１】
上記構成において、「検査用端子」は、Ｃｕ（銅）、Ａｌ（アルミニウム）等といった導電性金属材料に適宜のパターニング処理（例えばフォトエッチング処理）を施すことにより基板上に所定形状に形成された導電パターンである。「電気光学パネルは」、電気光学物質の作用によって画像を形成するパネル構造体であり、例えば、電気光学物質として液晶を用いる液晶パネルや、電気光学物質としてＥＬ（Electro Luminescence）物質を用いるＥＬパネル等が考えられる。
【００１２】
「支持枠」は、例えば適宜の樹脂を材料とする成型加工技術によって形成できる。「外枠」は、電気光学装置の最も外側に配置される構成要素であるので、機械的強度が高く、見栄えが良く、加工が容易であり、軽い材料、例えばステンレスによって作製される。「両面粘着部材」はシート状の樹脂ベース材の両面に粘着材を層状に設けることによって形成される。一般的な両面粘着部材がそうであるように、本発明で用いる両面粘着部材も、押圧されて変形して弾性復元力を発生し、押圧解除によって元の自然状態に復元できる部材である。
【００１３】
上記構成の本発明に係る電気光学装置によれば、外枠に設けた開口を通して電気光学パネルの表示領域に表示された画像を視認できる。検査用端子に所定の検査用信号を印加することにより電気光学パネルの点灯検査を行うことができ、電極、配線、スイッチング素子等といった構成要素の検査を行うことができる。両面粘着部材によって支持枠が外枠に粘着によって固着されるので、支持枠したがって電気光学パネルを外枠の内側で所定位置に固定状態で収納できる。
【００１４】
両面粘着部材は検査用端子に粘着してその検査用端子を覆うので、外枠に外力が加わった場合でも検査用端子からずれることなく該検査用端子を確実に覆い続けることができ、そのため、検査用端子を長期間にわたって確実に湿気等といった外部環境から保護できる。
【００１５】
従来の樹脂モールドに基づく検査用端子の被覆方法ではモールドの厚さを薄くすることができないので電気光学装置の全体の厚さを薄くすることができなかった。これに対し、本発明で用いる両面粘着部材はベース部材の両面に粘着材を層状に設けただけという簡単な構成なので、この両面粘着部材は非常に薄く形成することができる。例えば、０．１ｍｍ以下の厚さに形成することも容易である。従って、本発明によれば、電気光学装置の全体の厚さを非常に薄くすることができる。
【００１６】
電気光学装置として小型の液晶表示装置、小型のＥＬ装置等を考えたとき、用いられるガラス基板の厚さは、従来、０．５ｍｍ程度であって、電気光学装置の厚さは比較的厚かった。ところが最近では、電気光学装置に薄型化が要望されている。例えば、ガラス基板として０．１〜０．２ｍｍ程度のものを用いることにより、電気光学装置を薄型化することが要望されている。樹脂モールドによる従来の被覆処理では、そのような過度の薄型化は不可能である。これに対し、本発明のように、従来から外枠の固着用として用いられていた両面粘着部材を活用し、この両面粘着部材を検査用端子に粘着させてそれを被覆することにすれば、液晶パネル等といった電気光学パネルを薄く形成することと、外枠固着用及び検査用端子保護用の両面粘着部材を薄くすること、とによって電気光学装置を非常に薄くすることができる。
【００１７】
外枠の内面に両面粘着部材を貼付け、電気光学パネルを支持した支持枠をその外枠の中に収容し、さらに両面粘着部材の反対面を支持枠に貼り付ける、という構造は従来から知られていた。この場合の両面粘着部材は支持枠の周辺領域の必要な部分だけに限られて設けられていた。外枠内における支持枠の位置を決めるだけのためならば、両面粘着部材を限られた部分だけに使用するというそのような使用方法は要求を十分に満たすものであった。本発明は、そのような両面粘着部材の従来の使用方法に加えて、外枠の内面に貼り付ける両面粘着部材の面積を増やし、その増えた両面粘着部材によって検査用端子を覆うことにしたものである。
【００１８】
両面粘着部材は、元々、電気光学パネルや支持枠の平面的な形状に合わせた種々の形状に形成されるものであり、この両面粘着部材の形状を検査用端子を覆うことができる形状に変形させることは何等、特別な労力を必要とするものではない。つまり、両面粘着部材を検査用端子を覆うことができる形状に形成することは極めて簡単なことである。また、両面粘着部材を検査用端子を覆う位置に配置するという作業は、特別な作業を行うというのではなく、単に、外枠を従来通りに電気光学パネルや支持枠に組み付けるという作業を行うだけである。従って、作業が非常に簡単である。
【００１９】
また、外枠の内面に粘着させた両面粘着部材を基板上の検査用端子に粘着させるということは、基板と外枠とを両面粘着部材によって一体化することに他ならない。さらに、両面粘着部材は、元々、外枠と支持枠とを粘着によって一体化させるためのものである。従って、本発明に従って両面粘着部材によって基板を外枠に粘着させれば、外枠、基板そして支持枠の３点が両面粘着部材で粘着されて一体になるということである。このように外枠、基板、支持枠の３点が一体になれば、外枠の中で支持枠や電気光学パネルが徒に振動したり、動き回ることが無くなり、損傷から保護することができる。
【００２０】
次に、本発明に係る電気光学装置において、両面粘着部材は、外枠と支持枠とによって、及び外枠と前記張出し部の検査用端子が形成された領域とによって、挟持されて押圧されることが望ましい。この構成によれば、押圧力に応じて両面粘着部材の粘着力が大きくなり、そのため、電気光学パネル及び支持枠を外枠の中で安定して保持できる。
【００２１】
次に、本発明に係る電気光学装置において、両面粘着部材は、支持枠に加えて電気光学パネルの周囲領域にも粘着することが望ましい。この構成によれば、電気光学パネル及び支持枠の両方を外枠の中で、より一層安定して保持できる。この場合、両面粘着部材は外枠と電気光学パネルとによって挟持されて押圧されることが望ましい。こうすれば、押圧力に応じて両面粘着部材の粘着力を高めることができ、電気光学パネル及び支持枠を外枠の中で、より一層安定して保持できる。
【００２２】
次に、本発明に係る電気光学装置において、両面粘着部材は、外枠の周囲領域内に無端の環状に設けられ、且つ一部分が延出して前記検査用端子を覆うことが望ましい。両面粘着部材が無端の環状に形成されれば、支持枠の周辺領域の全域を均等に押えることができるので、支持枠ひいては電気光学パネルを安定して保持できる。
【００２３】
次に、本発明に係る電気光学装置において、両面粘着部材は検査用端子を覆った状態で当該検査用端子が形成された前記一方の基板と前記外枠との間を埋めることが望ましい。
【００２４】
電気光学装置において一対の基板が貼り合わされるというのは、液晶表示装置において一般的に見られる構成である。液晶表示装置では、互いに対向する一対の基板に電気光学物質である液晶が挟持される。また、一対の基板の外側表面には偏光板が貼着される。そして、液晶層によって画素ごとに変調した偏光を偏光板に通すことにより、偏光板の表面に画像を表示する。
【００２５】
本発明に係る電気光学装置では、一方の基板は他方の基板の外側に張り出す張出し部を有しており、この張出し部に検査用端子が設けられる。このように一方の基板が他方の基板から張出す部分の上部には空間が形成される。この空間があると、外枠の中で電気光学パネル及び支持枠が振動して破損を起こすおそれがある。このことに関し、本発明態様のように、両面粘着部材が検査用端子を覆った状態で当該検査用端子が形成された一方の基板と外枠との間を埋めることになっていれば、電気光学パネルや支持枠に振動が発生することを防止でき、損傷の発生を防止できる。
【００２６】
次に、本発明に係る電気光学装置において、両面粘着部材の自然状態時の厚さは、前記他方の基板の厚さと同じかそれよりも厚いことが望ましい。自然状態とは、両面粘着部材に外力が加わっていない状態のことである。本発明態様によれば、基板と外枠との間を確実に隙間無く埋めることができ、そのため、電気光学パネルが外枠内で動き回ること等を防止できる。
【００２７】
次に、本発明に係る電気光学装置において、両面粘着部材の外枠に粘着する面は強粘着面であり、その反対側の面は弱粘着面であることが望ましい。こうすれば、両面粘着部材を外枠の内面には強固に（場合によっては取り外し不能に）粘着でき、支持枠や電気光学パネルには弱い粘着力で容易に取り外しできる状態に粘着できる。この構成により、作製された電気光学装置が不良品であった場合に良品の部品だけを再利用するという、いわゆるリワーク処理が行い易くなる。
【００２８】
次に、本発明に係る電気光学装置は、検査用端子が設けられる前記一方の基板上に駆動用ＩＣを実装することができる。この実装構造は、いわゆるＣＯＧ（Chip On Glass）技術に基づいた実装構造である。そしてその場合、検査用端子は、その駆動用ＩＣの側辺とその一方の基板の側辺であって駆動用ＩＣの側辺に最も近い側辺との間に設けられることが望ましい。
【００２９】
駆動用ＩＣは厚さ又は高さを有するので、その駆動用ＩＣの周囲には空間が形成され易く、そのような空間があると電気光学パネルに振動や動き回りが発生し易く、それ故、破損し易い。駆動用ＩＣの近傍に検査用端子が形成されている場合に、本発明に従ってその検査用端子を両面粘着部材によって覆うことにすれば、駆動用ＩＣの周囲の空間がその両面粘着部材によって埋められるので、電気光学パネルの振動等の発生を抑制でき、破損の発生を抑えることができる。
【００３０】
次に、本発明に係る電子機器は、以上に記載した構成の電気光学装置を有することを特徴とする。本発明に係る電気光学装置によれば、薄くて機械的強度の強い電気光学装置を部品点数を増やすことなく簡単な作業によって作製できる。従って、その電気光学装置を用いた電子機器においても、薄くて機械的強度の強い電子機器を部品点数を増やすことなく簡単な作業によって作製できる。
【発明を実施するための最良の形態】
【００３１】
以下、本発明に係る電気光学装置をその一実施形態を挙げて説明する。なお、これ以降に説明する実施形態は本発明の一例であって、本発明を限定するものではない。また、これからの説明では必要に応じて図面を参照するが、この図面では、複数の構成要素から成る構造のうち重要な構成要素をわかり易く示すため、各要素を実際とは異なった相対的な寸法で示している。
【００３２】
図１は、本発明に係る電気光学装置の一例である液晶表示装置１を分解状態で示している。図２（ａ）は、図１の液晶表示装置の主要部である液晶パネルの平面構図を示している。図２（ｂ）は、図１の液晶表示装置の他の主要部である第１外枠の平面構造を示している。図３、図４、図５はそれぞれ図１のＺａ−Ｚａ、Ｚｂ−Ｚｂ、Ｚｃ−Ｚｃの各線に従った液晶表示装置の各部の断面構造を示している。
【００３３】
図１において、液晶表示装置１は、支持枠であるフレーム２と、そのフレーム２によって支持される電気光学パネルとしての液晶パネル３と、それらのフレーム２、液晶パネル３を覆う上下一対の外枠４とを有する。外枠４は、第１外枠４ａと第２外枠４ｂとを嵌め合わせることによって形成される。
【００３４】
本実施形態において、液晶表示装置１は薄型の液晶表示装置を意図しており、そのため、液晶パネル３は薄型のパネル構造体として構成されている。例えば、液晶パネル３の厚さは０．６ｍｍ以下にされている。また、液晶パネルを構成する個々の基板の厚さは、例えば０．３ｍｍ以下にされている。フレーム２の内側には照明装置５が設けられる。この照明装置５は矢印Ａで示す観察側から見て液晶パネル３の裏側に配置されてバックライトとし機能する。照明装置５は、光源としてのＬＥＤ（Light Emitting Diode）６と、ＬＥＤ６から出射する点状の光を面状に変換して出射する導光体７とを有する。導光体７は、例えば透光性の樹脂によって形成される。
【００３５】
ＬＥＤ６は、複数個、本実施形態では６個設けられている。これら６個のＬＥＤ６は、ＦＰＣ基板１０のＬＥＤ実装領域Ａ０上に実装されている。このＦＰＣ基板１０は端子１１を有し、この端子１１を通して各ＬＥＤ６へ電力が供給される。図５に示すように、各ＬＥＤ６の発光面６ａは、導光体７の側面である光入射面７ａに対向して設けられる。各ＬＥＤ６から出た光は、光入射面７ａから導光体７の内部へ導入される。導光体７の内部へ導入された光は光出射面７ｂから面状の光として出射して液晶パネル３へ供給される。導光体７のうちの液晶パネル３に対向する光出射面７ｂには、図示は省略するが、必要に応じて種々の光学要素、例えば光反射層や光拡散層等が設けられる。なお、光源は、第１ＬＥＤ６以外の点状光源や、冷陰極管等といった線状光源によって構成することもできる。
【００３６】
図１において、照明装置５と液晶パネル３との間に粘着シート１２が設けられている。粘着シート１２は、液晶パネル３の表示領域Ｖと略同じ大きさの開口を有した枠状に形成されている。また、粘着シート１２は遮光性の材料によって形成されている。フレーム２と液晶パネル３とは、この粘着シート１２によって粘着される。ここで粘着とは、人手によって容易に剥がすことができる程度の接着の意味である。
【００３７】
図５において、液晶パネル３は、一方の基板である第１の透光性の基板１３と、他方の基板である第２の透光性の基板１４と、第１透光性基板１３の外側表面に貼着された偏光板１５ａと、第２透光性基板１４の外側表面に貼着された偏光板１５ｂとを有する。第１透光性基板１３は、例えば厚さ０．２ｍｍのガラス、プラスチック等によって形成されている。第２透光性基板１４は例えば厚さ０．１ｍｍのガラス、プラスチック等によって形成されている。偏光板１５ａの偏光透過軸と偏光板１５ｂの偏光透過軸は液晶パネルの動作モードに応じて角度的に適宜にずらせた状態に設定されている。なお、偏光板１５ａ，１５ｂに加えて他の光学要素、例えば位相差板等を設けても良い。
【００３８】
第１透光性基板１３は、第２透光性基板１４の一方の外側へ張り出す張出し部１８を有している。この張出し部１８の表面に細長い直方体形状の駆動用ＩＣ１７がＡＣＦ（Anisotropic Conductive Film）２０を用いたＣＯＧ（Chip On Glass）技術によって実装されている。張出し部１８の第２透光性基板１４側の表面には、図２（ａ）に示すように、検査用端子１９が設けられている。この検査用端子１９は、張出し部１８の一方の側辺１８ａの近傍、及び他方の側辺１８ｂの近傍にそれぞれ１つずつ設けられている。より具体的には、検査用端子１９は、駆動用ＩＣ１７の短い側辺（図２（ａ）の左右の側辺）と、第１透光性基板１３の側辺であって当該駆動用ＩＣ１７の側辺に最も近い側辺（すなわち張出し部１８の側辺１８ａ，１８ｂ）との間の領域に設けられている。
【００３９】
検査用端子１９は、液晶パネル３の表示検査を行う際に用いられる端子である。例えば、液晶パネル３を製造する工程において、第１透光性基板１３と第２透光性基板１４とを貼り合わせた後であってその液晶パネル３に配線基板等を実装する前に、検査用端子１９を用いて単体の液晶パネル３に電気信号を入力して表示検査が行われる。検査用端子１９は、製品となった後の液晶表示装置１においては使用されないものである。
【００４０】
詳しい図示は省略するが、液晶パネル３を構成する第１透光性基板１３及び第２透光性基板１４のそれぞれの互いに対向する表面には電極が設けられ、さらに、それらの基板間に液晶が封入される。図５において、照明装置５から液晶パネル３へ面状の光が供給されるとき、液晶パネル３の内部で互いに対向する一対の電極に印加する電圧を画素ごとに制御することにより、液晶を通過する光を画素ごとに変調する。その変調光を偏光板１５ｂに通すことにより、その偏光板１５ｂの光出射側に文字、数字、図形等といった像を表示する。矢印Ａで示す方向が液晶パネル３の表示を観察する方向であり、偏光板１５ｂが設けられた面が表示面Ｓ０である。
【００４１】
液晶パネル３は任意の表示モードの液晶パネルによって構成できる。例えば、液晶駆動方式でいえば、単純マトリクス方式及びアクティブマトリクス方式のいずれであっても良い。また、液晶モードの種別でいえば、ＴＮ（Twisted Nematic）、ＳＴＮ（Super Twisted Nematic）、負の誘電率異方性を持つ液晶（すなわち、垂直配向用液晶）、その他任意の液晶を用いることができる。また、採光方式でいえば、反射型、透過型又は透過及び反射兼用の半透過反射型のいずれであっても良い。
【００４２】
反射型とは、太陽光、室内光等といった外部光を第１液晶パネル３の内部で反射させて表示に用いる方式である。また、透過型とは、液晶パネル３を透過する光を用いて表示を行う方式である。また、半透過反射型とは、反射型表示と透過型表示の両方を選択的に行うことができる方式である。なお、本実施形態では照明装置５がバックライトとして設けられているので、採光方式としては透過型又は半透過反射型が採用されていることになる。
【００４３】
単純マトリクス方式とは、各画素に能動素子を持たず、走査電極とデータ電極との交差部が画素またはドットに対応し、駆動信号が直接に印加されるマトリクス方式である。この方式に対する液晶モードとしては、ＴＮ、ＳＴＮ、垂直配向モード等が用いられる。次に、アクティブマトリクス方式とは、画素又はドットごとに能動素子が設けられ、書き込み期間では能動素子がＯＮ状態となってデータ電圧が書き込まれ、他の期間では能動素子がＯＦＦ状態になって電圧が保持されるマトリクス方式である。この方式で使用する能動素子には３端子型と２端子型がある。３端子型の能動素子には、例えば、ＴＦＴ（Thin Film Transistor）がある。また、２端子型の能動素子には、例えば、ＴＦＤ（Thin Film Diode）がある。
【００４４】
液晶パネル３において、カラー表示を行う場合には、一対の基板のうちの一方にカラーフィルタが設けられる。カラーフィルタは、特定の波長域の光を選択的に透過する複数のフィルタによって形成される。例えば、３原色であるＲ（赤），Ｇ（緑），Ｂ（青）の１色ずつを基板上の各画素に対応させて所定の配列、例えばストライプ配列、デルタ配列、モザイク配列で並べることによって形成される。なお、鮮明な発色を希望する場合にはＲ，Ｇ，Ｂに他の色（例えば、青緑）を加えた４色によって１つの画素を構成することもできる。
【００４５】
次に、図１において、フレーム２は樹脂を材料とする成形加工技術によって形成されており、パネル収容部２１と、導光体収容部２２と、ＬＥＤ支持部２３とを有する。パネル収容部２１はフレーム２の内側に形成された空間であり、この空間内に液晶パネル３が収容される。導光体収容部２２は、フレーム２の開口部に相当する空間であり、この導光体収容部２２内に導光体７が収容される。ＬＥＤ支持部２３はフレーム２の表面に形成された凹部であり、このＬＥＤ支持部２３によってＦＰＣ基板１０上に実装されたＬＥＤ６が支持される。フレーム２のうちＬＥＤ支持部２３よりも先端側の部分は、ＦＰＣ基板１０がフレーム２に装着されたときにそのＩＣ実装領域Ａ０上に形成された回路要素を逃げるための空間となっている。
【００４６】
次に、図１において上下に分離して描かれた第１外枠４ａ及び第２外枠４ｂは、例えばステンレス等といった金属を用いて形成されている。第１外枠４ａは、液晶パネル３の表示領域Ｖと略同じ大きさの開口２５を有した枠形状に形成されている。また、第２外枠４ｂは、開口を持たない有底で四角形状の皿形状に形成されている。
【００４７】
第１外枠４ａには複数の嵌合部２６ａが設けられている。また、第２外枠４ｂには、複数の嵌合部２６ｂが設けられている。嵌合部２６ａと嵌合部２６ｂとは互いに対応した位置に設けられており、図５に示すように液晶表示装置１を組み立てた状態で、嵌合部２６ａと嵌合部２６ｂとが嵌合し、第１外枠４ａと第２外枠４ｂとが結合して一体になる。
【００４８】
図１において、第１外枠４ａと液晶パネル３との間に両面粘着部材２８が設けられている。この両面粘着部材２８は、本実施形態では、無端の環状（すなわち枠状）に形成されている。両面粘着部材２８は無端で環状のベース部材の表裏両面に粘着材の層を一様な厚さに形成することによって形成されている。両面粘着部材２８の厚さは第２透光性基板１４と同じ厚さ、本実施形態では０．１ｍｍに設定されている。しかしながら、両面粘着部材２８は第２透光性基板１４よりも少し厚く形成しても良い。
【００４９】
両面粘着部材２８の第１外枠４ａ側の粘着面は強粘着面であり、液晶パネル３側の粘着面は弱粘着面である。強粘着面は弱粘着面に比べて粘着力が強い面ということである。両面粘着部材２８の液晶パネル３側を弱粘着面とするのは、液晶パネル３に不良が見つかったとき、又は液晶パネル３に不良が発生したときに、その液晶パネル３を第１外枠４ａから人手程度の力で無理なく取り外すことを可能として、第１外枠４ａの再利用（いわゆるリワーク）を可能とするためである。両面粘着部材２８の第１外枠４ａ側における強粘着力は、液晶パネル３側における弱粘着力よりは強いという意味である。なお、その強粘着力は人手によっては剥がすことのできない強固な固着であっても良い。
【００５０】
図２（ｂ）は第１外枠４ａ及びそれに粘着された両面粘着部材２８を図１の矢印Ａ方向から見た場合の平面図である。図２（ｂ）において、両面粘着部材２８は第１外枠４ａの裏面に粘着されている。第１外枠４ａは開口２５を有する枠状に形成されているのであるが、両面粘着部材２８の側部の帯状部分２８ａ，２８ｂは第１外枠４ａの側部と略同じ幅に形成されていてその側部に収まる形状となっている。図１において、第１外枠４ａを液晶パネル３を挟んでフレーム２へ組み付けたとき、両面粘着部材２８の内周領域部分が液晶パネル３の第２透光性基板１４の外周領域に重なって粘着（すなわち付着）する。また、両面粘着部材２８の外周領域部分がフレーム２の外周領域に在って上方へ張り出している部分に重なって粘着（付着）する。つまり、本実施形態において、両面粘着部材２８は液晶パネル３及びフレーム２の両方に重なって粘着する。但し、両面粘着部材２８はフレーム２だけに重なるだけであっても良い。
【００５１】
両面粘着部材２８の張出し部１８側の辺部分は、液晶パネル３に組みつけられたときに駆動用ＩＣ１７にぶつからないように細く形成されている。しかしながら、その両端部分には外方へ向けて延び出る延在部２９が設けられている。これらの延在部２９は、両面粘着部材２８を液晶パネル３に組み付けたときに、液晶パネル３の張出し部１８へ張り出して検査用端子１９に重なってそれに粘着（付着）する。
【００５２】
図１の液晶表示装置１を組み立てる際には、まず、照明装置５の導光体７をフレーム２の中の導光体収容部２２に収容し、次に、パネル収容部２１内に液晶パネル３を収容する。このとき、粘着シート１２によって導光体７とフレーム２に液晶パネル３を粘着する。こうして装着された液晶パネル３及び導光体７は、常にフレーム２内の一定位置に位置決めされる。
【００５３】
次に、ＦＰＣ基板１０が矢印Ｂで示すように液晶パネル３の裏側へ曲げられて、ＬＥＤ６を実装したＬＥＤ実装領域Ａ０がフレーム２のＬＥＤ支持部２３に対向するように配置される。さらに、入力用端子１１が設けられた側方部分が矢印Ｃで示すように側方からフレーム２の背面へ曲げられて、入力用端子１１がフレーム２の先方へ突出して配置される。以上のようにしてフレーム２に液晶パネル３を収容した状態で、第２外枠４ｂをフレーム２の底面側に装着する。そして第１外枠４ａをフレーム２の液晶パネル３側に装着する。このとき、第１外枠４ａの内面には、前もって、図２（ｂ）に示すように両面粘着部材２８を粘着しておく。
【００５４】
図１において、第２外枠４ｂをフレーム２の底面に装着し、さらに第１外枠４ａをフレーム２の上面に装着すると、第１外枠４ａの嵌合部２６ａと第２外枠４ｂの嵌合部２６ｂとが嵌合して一体となって外枠４が構成される。以上により、液晶表示装置１が完成する。
【００５５】
本実施形態の液晶表示装置１においては、第１外枠４ａに設けた開口２５を通して液晶パネル３の表示領域Ｖに表示された画像を視認できる。液晶パネル３の製造時には、検査用端子１９に所定の検査用信号を印加することにより液晶パネル３の点灯検査を行うことができ、電極、配線、スイッチング素子等といった構成要素の検査を行うことができる。検査用端子１９は製品完成後は不要な端子であるが、この検査用端子１９が外部へ露出していると湿度等といった外部環境を受けて腐食等といった不良を発生するおそれがある。本実施形態では、液晶表示装置１が完成したとき、図４に示すように、両面粘着部材２８の延在部２９が検査用端子１９に粘着してその検査用端子１９を覆うので、検査用端子１９が外部環境に触れることを延在部２９によって防止できる。これにより、検査用端子１９に起因して液晶パネル３に不良が発生することを防止できる。
【００５６】
両面粘着部材２８の延在部２９は検査用端子１９に粘着することによってその検査用端子１９を覆うので、外枠４に外力が加わった場合でも延在部２９は検査用端子１９からずれることなく該検査用端子１９を確実に覆い続けることができる。そのため、検査用端子１９は長期間にわたって確実に湿気等といった外部環境から保護される。
【００５７】
従来の樹脂モールドに基づく検査用端子の被覆方法では樹脂モールドの厚さを薄くすることができなかった。しかしながら、従来の液晶表示装置においては液晶パネルを構成する基板の厚さが０．５ｍｍ程度と厚かったので、樹脂モールドが検査用端子上に厚く形成されても支障がなかった。しかしながら、本実施形態のように、厚さの薄い基板１４を用いる場合には、樹脂モールドによって検査用端子を被覆することは不可能である。これに対し本実施形態のように、厚さの薄い両面粘着部材２８によって検査用端子１９を覆うことにすれば、液晶表示装置の薄型化を達成できる。
【００５８】
本実施形態では、図１において、両面粘着部材２８に延在部２９を形成し、この延在部２９によって検査用端子１９を覆うことにより、その検査用端子１９を外部の湿気等から保護することにした。延在部２９は両面粘着部材２８の形状を形成する際に何等の苦労もなく形成できるものであるので、延在部２９は極めて簡単に形成できる。また、両面粘着部材２８を検査用端子１９を覆う位置に配置するという作業は、特別な作業を行うというのではなく、単に、第１外枠４ａを従来通りに液晶パネル３及びフレーム２に組み付けるという作業を行うだけである。従って、作業者は特別な作業を行うことなく液晶モジュールの組み付け作業を行うことだけで検査用端子１９に対する被覆処理を行うことができる。
【００５９】
また、本実施形態では、第１外枠４ａの内面に粘着させた両面粘着部材２８を基板１３上の検査用端子１９に粘着させている。このことは、基板１３と第１外枠４ａとを両面粘着部材２８によって一体化することに他ならない。さらに、両面粘着部材２８は、他方では、第１外枠４ａとフレーム２とを粘着によって一体化させている。従って、本実施形態において両面粘着部材２８は、第１外枠４ａ、基板１３、そしてフレーム２の３点を粘着によって一体にしているということである。このように、第１外枠４ａ、基板１３、フレーム２の３点が一体になっていれば、外枠４の中でフレーム２や液晶パネル３が振動したり、動き回ったりすることが無くなり、それ故、それらを損傷から確実に保護することができる。
【００６０】
図１から理解できるように、液晶パネル３内の第１透光性基板１３の張出し部１８において、それに実装された駆動用ＩＣ１７は張出し部１８の上方に突出しているので、その駆動用ＩＣ１７の周囲には液晶表示装置１の組立てが完了したときに空間が生じることが考えられる。このような空間は、液晶パネル３に不要な振動や不要な動きを起こさせるおそれがあり、好ましいものではない。このことに関して本実施形態では、図４に示すように、検査用端子１９が設けられた領域、すなわち駆動用ＩＣ１７の周辺領域、に両面粘着部材２８を設けたので、そのような空間が両面粘着部材２８、すなわち弾性部材によって埋められることになり、液晶パネル３に不要な振動等が発生することを確実に防止できる。しかも、両面粘着部材２８は第１外枠４ａと基板張出し部１８の双方に単に接触するのではなく粘着されるので、不要な振動等の発生にが確実に防止される。
【００６１】
（その他の実施形態）
以上、好ましい実施形態を挙げて本発明を説明したが、本発明はその実施形態に限定されるものでなく、請求の範囲に記載した発明の範囲内で種々に改変できる。
【００６２】
例えば、上記の実施形態では、図２（ａ）に示したように、検査用端子１９を駆動用ＩＣ１７の側方領域に設けたが、これを駆動用ＩＣ１７の側方領域以外の基板張出し部１８上に設けることもできる。この場合には、両面粘着部材２８に設ける延在部２９の形状も検査用端子１９の位置に応じて変更することが必要である。
次に、上記の実施形態では、照明装置５をバックライトとして用いて透過型の液晶パネルを構成した。これに代えて、照明装置５を用いることなく、反射型の液晶パネルを用いることもできる。
【００６３】
本発明は、液晶表示装置以外の電気光学装置、例えば、有機ＥＬ装置、無機ＥＬ装置、プラズマディスプレイ装置（ＰＤＰ：Plasma Display）、電気泳動ディスプレイ（ＥＰＤ：Electrophoretic Display）、フィールドエミッションディスプレイ装置（ＦＥＤ：Field Emission Display：電界放出表示装置）、その他種々の電気光学装置にも適用できる。
【００６４】
（電子機器の第１実施形態）
以下、本発明に係る電子機器の一実施形態を説明する。なお、この実施形態は本発明の一例を示すものであり、本発明はこの実施形態に限定されるものではない。図６は、本発明に係る電子機器の一実施形態を示している。ここに示す電子機器は、電気光学装置としての液晶装置１０１と、これを制御する制御回路１０２とを有する。液晶装置１０１は液晶パネル１０３及び駆動回路１０４を有する。また、制御回路１０２は、表示情報出力源１０５、表示情報処理回路１０６、電源回路１０７及びタイミングジェネレータ１０８によって構成される。
【００６５】
表示情報出力源１０５は、ＲＡＭ(Random Access Memory)等といったメモリや、各種ディスク等といったストレージユニットや、ディジタル画像信号を同調出力する同調回路等を備え、タイミングジェネレータ１０８により生成される各種のクロック信号に基づいて、所定フォーマットの画像信号等といった表示情報を表示情報処理回路１０６に供給する。
【００６６】
表示情報処理回路１０６は、増幅・反転回路や、ローテーション回路や、ガンマ補正回路や、クランプ回路等といった周知の回路を多数備え、入力した表示情報の処理を実行して、画像信号をクロック信号ＣＬＫと共に駆動回路１０４へ供給する。ここで、駆動回路１０４は、走査線駆動回路やデータ線駆動回路と共に、検査回路等を総称したものである。また、電源回路１０７は、上記の各構成要素に所定の電源電圧を供給する。
【００６７】
液晶装置１０１は、例えば、図１に示した液晶装置１を用いて構成できる。液晶装置１によれば、基板上に設けられた検査用端子を湿気等から保護するためにそれを覆う部材として、外枠をフレームに粘着させるための薄い厚さの両面粘着部材を用いた。そのため、液晶装置１内の液晶パネルを構成する基板として薄い板厚のものを用いることにより、液晶装置１の厚さを非常に薄くすることができた。従って、本実施形態に係る液晶装置１０１として図１の液晶装置１を用いれば、本実施形態の電子機器を薄く形成することができる。あるいは、電子機器内における液晶装置１０１の周囲の空間に余裕を持たせることができる。
【００６８】
（電子機器の第２実施形態）
図７は、本発明に係る電子機器の他の実施形態である携帯電話機を示している。ここに示す携帯電話機１１０は、本体部１１１と、この本体部１１１に対して開閉可能に設けられた表示体部１１２とを有する。表示体部１１２には表示装置１１３及び受話部１１４が設けられる。電話通信に関する各種表示は、表示装置１１３の表示画面１１５に表示される。表示装置１１３の動作を制御するための制御部は、携帯電話機の全体の制御を司る制御部の一部として、又はその制御部とは別に、本体部１１１又は表示体部１１２の内部に格納される。本体部１１１には操作ボタン１１６及び送話部１１７が設けられる。
【００６９】
表示装置１１３は、例えば、図１に示した液晶装置１を用いて構成できる。液晶装置１によれば、基板上に設けられた検査用端子を湿気等から保護するためにそれを覆う部材として、外枠をフレームに粘着させるための薄い厚さの両面粘着部材を用いた。そのため、液晶装置１内の液晶パネルを構成する基板として薄い板厚のものを用いることにより、液晶装置１の厚さを非常に薄くすることができた。従って、本実施形態に係る液晶装置１０１として図１の液晶装置１を用いれば、本実施形態の携帯電話機１１０を薄く形成することができる。このことは、近年の携帯電話機の薄型化の傾向に大きく貢献する。
【図面の簡単な説明】
【００７０】
【図１】本発明に係る電気光学装置の一実施形態である液晶表示装置を分解状態で示す斜視図である。
【図２】図１の液晶表示装置の主要部の平面図であり、（ａ）は液晶パネルを示し、（ｂ）は第１外枠を示している。
【図３】図１の液晶表示装置の一部分の側面断面図である。
【図４】図１の液晶表示装置の他の一部分の側面断面図である。
【図５】図１の液晶表示装置のさらに他の一部分の側面断面図である。
【図６】本発明に係る電子機器の一実施形態を示すブロック図である。
【図７】本発明に係る電子機器の一実施形態である携帯電話機を示す斜視図である。
【符号の説明】
【００７１】
１．液晶表示装置（電気光学装置）、  ２．フレーム（支持枠）、  
３．液晶パネル（電気光学パネル）、  ４．外枠、  ５．照明装置、  ６．ＬＥＤ、
７．導光体、  １０．ＦＰＣ基板、  １１．端子、  １２．粘着シート、
１３．第１透光性基板、  １４．第２透光性基板、  １５ａ、１５ｂ．偏光板、
１７．駆動用ＩＣ、  １８．張出し部、  １８ａ、１８ｂ．基板の側辺、
１９．検査用端子、  ２０．ＡＣＦ、  ２１．パネル収容部、  ２２．導光体収容部、
２３．ＬＥＤ支持部、  ２５．開口、  ２６ａ、２６ｂ．嵌合部、
２８．両面粘着部材、  ２８ａ，２８ｂ．側部帯状部分、  ２９．延在部、
１０１．液晶装置（電気光学装置）、  １０２．制御回路、
１０３．液晶パネル（電気光学パネル）、  １０４．駆動回路、
１１０．携帯電話機（電子機器）、  １１３．表示装置、  Ａ０．ＩＣ実装領域、
Ｓ０．表示面、  Ｖ．表示領域
【図１】
2008165132.tif 000003
【図２】
2008165132.tif 000004
【図３】
2008165132.tif 000005
【図４】
2008165132.tif 000006
【図５】
2008165132.tif 000007
【図６】
2008165132.tif 000008
【図７】
2008165132.tif 000009